(57)【要約】【課題】カメラマンにモデルを紹介するサービス方法は撮影会という形で行われているため時間の都合がつかなかったり地方在住のため参加しづらいカメラマンが多数存在している。また通常一人のモデルに対して複数のカメラマンが撮影に臨むため、一人で撮影を楽しみたいカメラマンにとっては満足できる状況にない。【解決手段】インターネットを介してカメラマンに希望のモデルを紹介するサービス方法においてカメラマンの都合がいい日時、場所での撮影を実現するために、カメラマン自ら撮影スケジュール、撮影場所を決定し、自分の気に入ったモデルと一対一の撮影ができる仕組みとする。双方の連絡は主に電子メールを活用し、業者が介在することで料金の徴収管理や安全面の確保を実現する。【特許請求の範囲】
【請求項１】
インターネットを介して募集した写真または映像の被写体となるモデルをホームページに掲載しそのモデルの撮影を希望するカメラマンにモデルを紹介するサービス方法において、以下の（１）から（８）によって構成されるサービス方法。
（１）カメラマンから予め氏名、住所、電話番号等を申告させ、業者より当該住所あてに会員証を郵送することで本人確認を実施するステップ
（２）電子メールによる撮影申込みの時点においてカメラマンの年齢、経験年数、使用するカメラ、撮影内容等のプロフィール情報を明記させるステップ
（３）モデルに対しカメラマンのプロフィール情報を連絡することにより撮影を受けるかどうかの判断を委ねるステップ
（４）モデルの承諾を前提に撮影料金を事前に業者宛に振り込みさせるステップ
（５）撮影料金の入金が確認できた段階で、カメラマンにはモデルのメールアドレス、モデルにはカメラマンのメールアドレスを業者より通知し双方のメール交信を可能にすることで撮影日時、撮影場所を双方で確定させその結果を業者に連絡させるステップ
（６）業者よりカメラマンの住所に撮影許可証を郵送し、撮影当日会員証と共に持参させ、モデルがそれを確認することでモデルがカメラマンの本人確認をとるステップ
（７）撮影当日はモデルとカメラマンに撮影開始時点と終了時点に業者に電話連絡をさせることで撮影の終了を確認するステップ
（８）撮影終了後にカメラマンより振り込まれた撮影料のうち、紹介手数料を差し引いた金額をモデルの銀行口座に振り込むステップ
【発明の詳細な説明】
【技術分野】
【０００１】
本発明はカメラマンにモデルを紹介するサービス方法に関する。
【背景技術】
【０００２】
カメラマンにモデルを紹介するサービス方法は既に知られている。
【０００３】
しかし従来のサービス方法は撮影会という形で雑誌、インターネット等の媒体を介して開催の告知を行い、カメラマンが撮影会に参加するという形でモデルを紹介している。
【発明の開示】
【発明が解決しようとする課題】
【０００４】
（１）撮影会は都市部を中心に決められた日程、時間、場所で行われるため、時間の都合がつかなかったり地方在住のため参加しづらいカメラマンが多数存在している。
（２）撮影会は通常一人のモデルに対して複数のカメラマンが撮影に臨むため、一人で撮影を楽しみたいカメラマンにとっては満足できる状況にない。個人でモデルを募集しても信用の面から実現は難しく、また必ずしも撮りたいモデルが見つかるとは限らない。
（３）モデルにとっても、見ず知らずのカメラマンと一対一で撮影を受ける行為は金銭不払いや安全面のリスクが懸念される。
本発明は上記（１）〜（３）の課題を解決し、従来の方法ではサービスの提供を受けられないカメラマン、モデル双方にとって安全で満足度の高い撮影機会を創出するサービス方
法である。
【課題を解決するための手段】
【０００５】
インターネットを介してカメラマンに希望のモデルを紹介するサービス方法において
（１）カメラマンの都合がいい日時、場所での撮影を実現するために、カメラマン自ら撮影スケジュール、撮影場所を決定する仕組みとする。
（２）カメラマンが気に入ったモデルを検索し、そのモデルと一対一の撮影ができる仕組みとする。
（３）モデルに紹介するカメラマンの身元を事前に確認し、モデルには事前にカメラマンのプロフィールを提示する仕組みとする。また、モデルが受け取る代金も事前に業者がカメラマンより徴収し撮影が行われたことを確認した上でモデルに支払う仕組みとする。
上記（１）〜（３）を実現するためにインターネットを介して募集した写真または映像の被写体となるモデルをホームページに掲載しそのモデルの撮影を希望するカメラマンにモデルを紹介するサービス方法において、
（１）カメラマンから予め氏名、住所、電話番号等を申告させ、業者より当該住所あてに会員証を郵送することで本人確認を実施するステップ
（２）電子メールによる撮影申込みの時点においてカメラマンの年齢、経験年数、使用するカメラ、撮影内容等のプロフィール情報を明記させるステップ
（３）モデルに対しカメラマンのプロフィール情報を連絡することにより撮影を受けるかどうかの判断を委ねるステップ
（４）モデルの承諾を前提に撮影料金を事前に業者宛に振り込みさせるステップ
（５）撮影料金の入金が確認できた段階で、カメラマンにはモデルのメールアドレス、モデルにはカメラマンのメールアドレスを業者より通知し双方のメール交信を可能にすることで撮影日時、撮影場所を双方で確定させその結果を業者に連絡させるステップ
（６）業者よりカメラマンの住所に撮影許可証を郵送し、撮影当日会員証と共に持参させ、モデルがそれを確認することでモデルがカメラマンの本人確認をとるステップ
（７）撮影当日はモデルとカメラマンに撮影開始時点と終了時点に業者に電話連絡をさせることで撮影の終了を確認するステップ
（８）撮影終了後にカメラマンより振り込まれた撮影料のうち、紹介手数料を差し引いた金額をモデルの銀行口座に振り込むステップ
からなるサービス方法を創出する。
【発明の効果】
【０００６】
（１）従来のサービス方法ではモデル撮影ができなかったカメラマンにとって、全国どこにおいても自由な日程、時間でモデル撮影が行える環境が整う。
（２）電子メールの交信によりカメラマンとモデルが撮影日程、撮影場所の選定から実際の撮影まで一対一で行えるサービスが提供できる。
（３）個人撮影において懸念される金銭不払いのトラブルが解消できる。（モデル料のエスクローサービスを実現）また、業者が間に入り撮影当日の開始・終了確認を行うことで安全面のリスクが軽減できる。
【発明を実施するための最良の形態】
【０００７】
（１）カメラマンについては会員制とし、予め氏名、住所、電話番号等を申告させ、業者より当該住所あてに会員証を郵送することで身元確認を行う。
（２）モデルについてはインターネットで募集し、モデル名、年齢、身長、３サイズ等のプロフィールを業者のホームページで公開することで撮影申込みを受け付ける。
（３）撮影料金の払込はモデルが撮影を承諾した後、業者宛に振り込みさせることで事前にモデル料を確保し、撮影が終了した後、モデルに支払う仕組みとする。
（４）撮影当日までのカメラマン、モデル、業者間の連絡は原則全て電子メールとし、日程・場所の決定はカメラマンとモデルが行い、業者に結果を連絡する。
（５）撮影当日はカメラマンとモデルの一対一の撮影とするが、撮影前にカメラマンの自宅に郵送した会員証、撮影許可証の提示を義務づけること及び撮影前と撮影終了後に両者からの業者への電話連絡を徹底させることで安全面のリスクを軽減させる。
【実施例】
【０００８】
（１）業者のホームページで個人撮影を希望するカメラマンおよびモデルを募集する。
（２）カメラマンについては会員証を自宅に郵送することで身元確認を実施。モデルについては申告された写真、プロフィールをホームページに掲載。
（３）カメラマンより撮影申込みがあったらモデルにカメラマンのプロフィールを提示して撮影の可否を確認。応諾があったらカメラマンに撮影料金の業者宛振込を依頼。
（４）振込の確認ができたら、カメラマン、モデル双方に相手のメールアドレスを通知。
またカメラマンの自宅に撮影許可証を郵送。
（５）双方の話し合いで撮影日時、場所等が決まったら業者宛に連絡。
（６）業者よりモデルにカメラマンの会員番号、許可証番号を通知。
（７）撮影当日は、モデル、カメラマン双方より合流した時点で業者に連絡。その際、モデルはカメラマンより会員証と許可証の提示を受け、業者より通知された番号との一致を確認。一致していたら撮影を開始する。
（８）撮影が終了したらカメラマン、モデル双方よりその旨業者宛に連絡。
（９）業者はモデルの銀行口座に所定のモデル料を振り込む。